(57)【要約】【課題】空気を清浄化する機能を損なうこと無く、安全で取り扱い性が良く、しかも装置の小型化が可能な観賞を兼ねた流水型空気清浄器を提供する。【解決手段】室内の空気を取り込むファン１と、イオン化針２と、コネクタ８ａと、マイナス帯電された空気を本体流路部３１の皿形の器１０に吹き付けるための漏斗状排出口６ａとを備えたヘッド部と、皿形の器１０の上面にプラス帯電された水を導出する水配管用パイプ１１と、水を貯水するタンク部３２と、水をプラス帯電させる接地電極と、流下してくる水から塵埃等を除去するフィルター１６と、接続部８のコネクタ８ａと接続されるコネクタ８ｂとを備えた本体流路部３１とから構成することにより、マイナス帯電した空気中の塵埃等をプラス帯電した水に吹き付けることで、空気清浄機能を維持しながら装置を小型化する。【選択図】      図１
2005021777.tif 000002
【特許請求の範囲】
【請求項１】
水を貯水するタンク部と、当該タンク部の上方に配置される台と、当該タンク部から当該台に水を導出する水配管用のパイプと、当該タンク部から当該水配管用のパイプに水を送り出す循環ポンプと、当該水をプラス帯電させる接地電極と、空気を吸い込むファンと、当該ファンで吸い込んだ空気を当該台に導出する排出口と、当該排出口に設けられて空気中の塵埃等をマイナスイオン化させるイオン化針と、当該イオン化針に電源供給する電源とを備えることを特徴とする流水型空気清浄器。
【請求項２】
前記ファン及び前記イオン化針は前記台の上方に位置することを特徴とする請求項１に記載の流水型空気清浄器。
【請求項３】
前記排出口は、前記台方向にすぼまった漏斗状であることを特徴とする請求項１又は２に記載の流水型空気清浄器。
【請求項４】
前記水配管用のパイプは、前記台の底部に取り付けられることを特徴とする請求項１〜３の何れか１に記載の流水型空気清浄器。
【請求項５】
前記ファン、前記排出口及び前記イオン化針はヘッド部として一体に構成され、当該ヘッド部は独立して取り外し可能であることを特徴とする請求項１〜４の何れか１に記載の流水型空気清浄器。
【請求項６】
前記ヘッド部を取り外すと前記電源からの電源供給を遮断する手段を有することを特徴とする請求項１〜５の何れか１に記載の流水型空気清浄器。
【請求項７】
前記ヘッド部を取り外すと前記流水型空気清浄器の動作を停止する手段を有することを特徴とする請求項１〜６の何れか１に記載の流水型空気清浄器。
【請求項８】
前記ヘッド部から前記タンク部にかけて流下する水が飛び散らないように外側筒を有することを特徴とする請求項
【請求項９】
前記外側筒は透明又は半透明の材質であることを特徴とする請求項１〜７の何れか１に記載の流水型空気清浄器。
【発明の詳細な説明】
【０００１】
【発明の属する技術分野】
本発明は、観賞を兼ねた電気集塵方式の流水型空気清浄器に関する。
【０００２】
【従来の技術】
従来、観賞を兼ねた電気集塵方式の流水型空気清浄器は、特開平１０−８５６２５号公報に示されるような流水型空気清浄装置がある。
【０００３】
この流水型空気清浄装置は、高圧直流電源によりイオン化電極からマイナスイオンを発生させて、取り込んだ塵埃、タバコの煙、ダニ、微細な菌などをマイナスに帯電させ、一方で、接地電極によりプラス帯電させた水を水槽面に沿って層状に落下させ、マイナス帯電させた塵埃等をプラス帯電させた水に吸着させて空気を清浄させており、更に観賞効果を併せ持つことを特徴としている。
【０００４】
図５は、特開平１０−８５６２５号公報に示される従来の流水型空気清浄器の断面図を示している。
【０００５】
図に示す流水型空気清浄器は、二重円筒水槽を用い、循環ポンプ１１０により二重円筒水槽に水を供給することで、二重円筒水槽の上部開放口１０４より水槽内の水を溢れさせ、内側円筒水槽の内壁面１０５に沿って水を流下させている。
【０００６】
また、内側円筒１０７のほぼ中心に重錘１１１を懸垂させたイオン化電極１０３に高電圧直流電源１０２で高電圧を印加してマイナスイオンを発生させ、塵埃、タバコの煙、ダニ、微細な菌などをマイナスに帯電させ、一方で、二重円筒水槽内では、接地電源１１２により水がプラスに帯電させている。
【０００７】
これにより、ファン１０１により吸い込んだ室内の汚れた空気は、塵埃等をマイナスに帯電させてプラスに帯電された流水１１３に吸着させることで、綺麗な空気となって室内に排出されるようになっている。
【０００８】
なお、二重円筒水槽にガラス、アクリル、塩化ビニール、ポリカーボイト等の透明な材料を使用し、水槽面を水が流れ落ちるように構成することで、観賞効果を得ている。
【０００９】
【特許文献１】
特開平１０−８５６２５号公報
【００１０】
【発明が解決しようとする課題】
しかし、従来の流水型空気清浄器は、高電圧が掛かるイオン化電極１０３を長く垂れ下げて配して水槽面を流れ落ちる流水１１３に近接させ、マイナスイオン化させた塵埃、タバコの煙、ダニ、微細な菌などを、水槽中に設けられた接地電極１１２によりプラス帯電させた流水１１３に吸着させる方法を取っているが、高電圧が掛かっているイオン化電極１１３は重錘１１１で垂らしているだけで固定されていないため、人等が接触して流水型空気清浄器が動くと、それに伴って長く垂らしたイオン化電極１１３も揺れてプラス帯電した流水１１３に触れ、ショートし、また人が感電する危険があり、高電圧に対する安全構造への配慮が不十分であった。
【００１１】
現実には、人が感電しても指にパチンと放電するくらいで人体に影響がないように設計されるが、人体に影響が無くても、感電したことで人が驚いて転倒したり、廻りの物にぶつかって怪我をしたりする危険性がある。
【００１２】
一方、水槽は、装置を稼動すると徐々に汚れてくるので、外観を綺麗に保つためには定期的に清掃することが必要となる。また、イオン化電極は、装置を稼動すると徐々にゴミが付着して汚れてくるので、集塵性能を保つために清掃又は交換が必要となる。
【００１３】
しかし、上部のファンや透明円筒カバーが容易に取り外せる構成になっておらず、また、上述したイオン化電極の配置の関係上、水槽の清掃及びイオン化電極の清掃又は交換が困難又は非常に手間が掛かるため、保守性が悪いという問題がある。
【００１４】
更に、より良い集塵効率を得るためには、水が流れ落ちる水槽面およびイオン化電極をより長く配して構成しなければならず、装置が大型になるという問題がある。
【００１５】
そこで、本発明は、空気を清浄化する機能を損なうこと無く、安全で取り扱い性が良く、しかも装置の小型化が可能な観賞を兼ねた流水型空気清浄器を提供することを目的とする。
【００１６】
【課題を解決するための手段】
そこで、本発明にかかる流水型空気清浄器は、水を貯水するタンク部と、当該タンク部の上方に配置される台と、当該タンク部から当該台に水を導出する水配管用のパイプと、当該タンク部から当該水配管用のパイプに水を送り出す循環ポンプと、当該水をプラス帯電させる接地電極と、空気を吸い込むファンと、当該ファンで吸い込んだ空気を当該台に導出する排出口と、当該排出口に設けられて空気中の塵埃等をマイナスイオン化させるイオン化針と、当該イオン化針に電源供給する電源とを備えることを特徴とし、また、前記排出口は、前記台方向にすぼまった漏斗状であることを特徴とする。
【００１７】
また、前記ファン及び前記イオン化針は前記台の上方に位置することを特徴とし、前記水配管用のパイプは、前記台の底部に取り付けられることを特徴とする。
【００１８】
また、前記ファン、前記排出口及び前記イオン化針はヘッド部として一体に構成され、当該ヘッド部は独立して取り外し可能であることを特徴とする。
【００１９】
また、前記ヘッド部を取り外すと前記電源からの電源供給を遮断する手段を有することを特徴とし、前記ヘッド部を取り外すと前記流水型空気清浄器の動作を停止する手段を有することを特徴とする。
【００２０】
また、前記ヘッド部から前記タンク部にかけて流下する水が飛び散らないように外側筒を有することを特徴とし、前記外側筒は透明又は半透明の材質であることを特徴とする。
【００２１】
【発明の実施の形態】
次に、本発明にかかる流水型空気清浄器について図面を参照して説明する。
【００２２】
図１は本発明にかかる流水型空気清浄器の断面図を示している。図において、流水型空気清浄器は、室内の空気を取り入れて空気中の塵埃、タバコの煙、ダニ、微細な菌など（以下「塵埃等」という。）をマイナスに帯電させるヘッド部３０と、プラスに帯電させた水を循環してマイナスに帯電させた塵埃等を吸着させる本体流路部３１とから構成されている。
【００２３】
ヘッド部３０は、ルーバー付きの上部プロテクター５及びルーバー付きの下部プロテクター６から構成される。下部プロテクター６には、室内の空気を取り込むファン１と、高圧直流電源３から電源供給を受けてマイナスイオンを大量に発生するイオン化針２と、後述する電気回路部１２と電気的に接続する接続部８のコネクタ８ａと、コネクタ８ａ、高圧直流電源３、ファン１及びイオン化針２をそれぞれ電気的に接続する電気配線７と、ファン１で取り込まれた空気を本体流路部３１に導出するために設けられる下方にすぼまった漏斗状排出口６ａと、漏斗状排出口６ａの先端に設けられたルーバー付きの空気排出部６ｂとを備えている。上部プロテクター５は、空気の流入口に設けられたルーバーを備え、下部プロテクター６を覆うことでヘッド部３０を一体構造としている。
【００２４】
なお、ヘッド部３０は本体流路部３１から取り外し可能な構成になっており、また空気排出部６ｂは下部プロテクター６から取り外し可能な構成になっている。
【００２５】
一方、本体流路部３１は、上面に皿形の器１０を備える内側円筒９と、内側円筒の外側に設けられる透明又は半透明の外側円筒１４と、内側円筒９及び外側円筒１４を保持するベース板１５と、皿形の器１０の底部に取り付けられて水を皿形の器１０の上面に導出する水配管用パイプ１１とを備えている。また、ベース板１５の下部には、水を貯水するタンク部３２と、タンク部３２内に設けられ貯水している水をプラス帯電させる接地電極（図示しない）と、タンク部３２の上方に位置して皿形の器１０から流下してくる水から塵埃等を除去するフィルター１６と、タンク部３２から配管２１を介して水配管用パイプ１１に水を循環させる循環ポンプ１７と、流水型空気清浄器の操作を行うための操作表示部１８と、操作表示部１８からの操作に基づき各種制御を行う電気回路部１２と、観賞効果を高める照明部２２と、タンク部３２を覆う底ケース１９とを備えており、ベース板１５には内側円筒９と外側円筒１４との間に水および空気を通すための空間が設けられており、ベース板１５下方には塵埃等が除去されて清浄された空気を室内に排出する排気口が設けられている。そして、本体流路部３１上部には、接続部８のコネクタ８ａと接続されるコネクタ８ｂと、コネクタ８ｂと電気回路部１２とを電気的に接続する電気配線を収容する電気配線用パイプ２０とを備えている。
【００２６】
なお、コネクタ８ａ、８ｂ、電機配線用パイプ２０は外側円筒１４の外側に設けているが、これに限定されるものではなく、例えば外側円筒１４や内側円筒９の内部に設けても良い。
【００２７】
また、皿形の器１０は、特に円形に特化したものではなく四角形やドーナツ型等の器であっても良く、器の縁に図に示すような水の堰き止め壁が無くても良い。
【００２８】
更に、内側円筒９及び外側円筒１４は必ずしも円筒でなくても良く、デザインに応じて適宜形状を変えることができる。
【００２９】
次に、本発明にかかる流水型空気清浄器の動作について図２〜図４をも参照して説明する。
【００３０】
操作表示部１２から流水型空気清浄器を起動させると、ファン１及び循環ポンプ１７が動作を開始し、高圧直流電源３はイオン化針２に高圧電流を供給する。
【００３１】
まずファン１が動作を開始すると、ヘッド部３０のルーバーから部屋の空気を取り込み、漏斗状排出口６ａから本体流路部３１の皿形の器１０に向けて導出する。一方、イオン化針２は高圧直流電源３からの電源供給を受けてマイナスイオンを発生しており、ファン１によって吸引された空気中の塵埃等はマイナスイオンによってマイナスに帯電され、漏斗状排出口６ａから導出される。
【００３２】
一方、循環ポンプ１７が動作を開始すると、タンク部３２の水を配管２１を介して吸引し、水配管用パイプ１１に循環させる。なお、タンク部３２では接地電極により水がプラスに帯電されるようになっている。水配管用パイプ１１は皿形の器１０の底部に接続されており、循環ポンプ１７によって循環された水は皿形の器１０の上面に導出される。
【００３３】
ここで、皿形の器１０には常時水が導出されるが、皿形の器１０は所定の面積を有しているため、導出された水が皿形の器１０の縁に到達するまでに所定時間要する。その間、漏斗状排出口６ａから導出された空気がこの皿形の器１０上の水に衝突することで、マイナス帯電された空気中の塵埃等がプラス帯電された水に吸着し、空気が浄化される。そして、水は皿形の器１０の縁に到達すると、内側円筒９の外側面に沿って流下し、ベース板１５に設けられた空間を通過して、タンク部３２で貯水される。
【００３４】
一方、漏斗状排出口６ａから導出された空気は内側円筒９と外側円筒１４との間を通り、ベース板１４に設けられた空間を通過し、排気口から室内に排出される。従って、空気中のマイナス帯電された塵埃等は内側円筒９の外側面においてプラス帯電された水と接し続けるため、この間も空気中のマイナス帯電された塵埃等がプラス帯電された水に吸着される。
【００３５】
流下してきた水は空気中の塵埃等を吸着して汚れているため、タンク部３２で貯水する前に、汚れた水をフィルター１６で濾過して塵埃等を除去する。
【００３６】
なお、発明者の実験により、高圧直中電源３からイオン化針２に４０００〜６０００Ｖの高圧をかけると、従来装置と同等以上の約５０万個／ｃｍ２以上のマイナスイオンが発生することが確認されており、従来装置と同等以上の集塵効果を得ていることが確認されている。
【００３７】
ところで、流水型空気清浄器は時間の経過と共に徐々に汚れてくる。そこで、外観を綺麗に保つためには定期的に清掃することが必要となる。また、イオン化電極も徐々にゴミが付着して汚れてくるため、集塵性能を維持するためには定期的な清掃及び交換が必要となる。
【００３８】
そこで、次に流水型空気清浄器の清掃及びイオン化電極の清掃又は交換の動作について説明する。
【００３９】
ヘッド部３０は上述したように上部プロテクター５と下部プロテクター６により一体となっている。そこで、通常は、操作表示部１８で電源を切断して流水型空気清浄器を停止させた後、本体流路部３１からヘッド部３０のみを取り外し、ヘッド部３０及び本体流路部３１を清掃する。つまり、ヘッド部３０単体で取り外しが可能となることから、本体流路部３１については上部から障害無く清掃でき、ヘッド部３０については単体で簡易に清掃することができる。
【００４０】
また、ヘッド部３０のイオン化針２を清掃又は交換したい場合は、更にヘッド部３０から空気排出部６ｃを取り外すことで、漏斗状排出口６ａから簡易にイオン化針２の清掃又は交換を行うことができる。
【００４１】
もし、流水型空気清浄器を停止させるのを忘れた場合であっても、本体流路部３１からヘッド部３０を取り外すと、接続部８のコネクタ８ａとコネクタ８ｂが分離されることにより、電気的に切断される。従って、この電気的な切断により、イオン化針２は高圧直流電源３からの電源供給が遮断され、ファン１及び循環ポンプ１７は動作が停止する。つまり、ヘッド部３０の取り外しと同時に流水型空気清浄器の各装置が停止するため、誤って流水型空気清浄器の停止操作を忘れてヘッド部３０を取り外したとしても、安全にヘッド部３０及び本体流路部３１の清掃、イオン化針２の清掃又は交換をすることができる。
【００４２】
【発明の効果】
以上説明したように本発明によれば、プラス帯電させた空気中の塵埃等をプラス帯電された水が導出される器に吹き付けることで、効率的に集塵効果を得られるため、装置の小型化を実現することができる。この場合、排出口の形状を台方向にすぼまった漏斗状にすることで、より効率的に集塵効果を得ることができる。
【００４３】
また、ファン、イオン化針、高圧直流電源を器の上方に配置することで、水との接触によるショートを防止でき、安全性を確保することができる。この場合、水配管用パイプを器の底部に取り付けることで、水を器に導出する際に、上方から水を落下させたときに生じる水しぶきの発生を抑制でき、より高い安全性を確保することができる。
【００４４】
一方、ファン、漏斗状排出口及びイオン化針はヘッド部として一体に構成し、独立して取り外し可能とすることで、ヘッド部やヘッド部各装置の清掃、交換が簡便になり、取り扱い性を向上することができる。更に、ヘッド部を取り外すと高圧直流電源からイオン化針への電源供給を遮断することで、又、流水型空気清浄器の動作を停止することで、ヘッド部やヘッド部各装置の清掃、交換の際に、電源切断や動作停止の操作を怠っても感電等の被害が無くなり、より安全で、より取り扱い性を向上させることができる。
【００４５】
なお、外側筒を設けることで室内に水が飛び散る虞が無くなり、この外側筒を透明又は半透明の材質にすることで、水の流下を室内から鑑賞可能となるため、鑑賞効果を向上することができる。
【図面の簡単な説明】
【図１】本発明にかかる流水型空気清浄器の断面図を示している。
【図２】室内の塵埃等の流れを示している。
【図３】ヘッド部を取り外した状態を示している。
【図４】空気排出部を取り外した状態を示している。
【図５】従来の流水型空気清浄器の断面図を示している。
【符号の説明】
１    ファン
２    イオン化針
３    高圧直流電源
４    水面
５    ルーバー付きの上部プロテクター
６    ルーバー付きの下部プロテクター
６ａ  漏斗状排出口
６ｂ  空気排出部
７    電気配線
８    接続部
８ａ  コネクタ
８ｂ  コネクタ
９    内側円筒
１０  皿型の器
１１  水配管用パイプ
１２  電気回路部
１４  外側円筒
１５  ベース板
１６  フィルター
１７  循環ポンプ
１８  操作表示部
１９  底ケース
２０  パイプ
２１  配管
２２  照明部
２３  空気中の塵埃、タバコの煙、ダニ、微細な菌など
２４  マイナスイオン
３０  ヘッド部
３１  本体流路部
３２  タンク部
１０１  ファン
１０２  高圧直流電源
１０３  イオン化電極
１０４  上部開放口
１０５  内側円筒水槽の内壁面
１０６  外側円筒
１０７  内側円筒
１０８  排出口
１０９  フィルター
１１０  循環ポンプ
１１１  重錘
１１２  接地電極
１１３  流水
【図１】
2005021777.tif 000003
【図２】
2005021777.tif 000004
【図３】
2005021777.tif 000005
【図４】
2005021777.tif 000006
【図５】
2005021777.tif 000007